(57)【特許請求の範囲】
【請求項１】
映像信号における水平同期信号を形成するパルスを計数するＮビット（Ｎは正整数）カウンタ部と、所定の周波数を有したクロックパルスを計数するＭビット（Ｍは正整数）カウンタ部と、該Ｍビットカウンタ部により得られる計数データをラッチする動作を選択的に行うデータラッチ部とを設け、上記Ｎビットカウンタ部を上記映像信号における垂直同期信号の前縁もしくは後縁のタイミングをもってリセットし、該Ｎビットカウンタ部における所定のビット位置において得られるビット出力信号の前縁もしくは後縁のタイミングをもって、上記データラッチ部に上記Ｍビットカウンタ部により得られる計数データをラッチする動作を行わせ、上記データラッチ部において連続してラッチされた二つの計数データが夫々あらわす計数値間の差に基づいて、上記映像信号における水平周期のＸ倍（Ｘは正整数）の周期を検出し、該水平周期のＸ倍の周期から上記映像信号における水平周波数の算出を行うことによって上記水平周波数を測定する水平周波数測定方法。
【請求項２】
映像信号における水平周波数の算出を、検出された水平周期のＸ倍の周期をあらわす値の１／Ｘの逆数をあらわす値を求めることにより行うことを特徴とする請求項１記載の水平周波数測定方法。
【請求項３】
Ｎビットカウンタ部を８ビットカウンタ部とし、該８ビットカウンタ部における最下位ビットから上位ビット側へと数えて７番目のビット位置において得られるビット出力信号の前縁のタイミングをもって、データラッチ部にＭビットカウンタ部により得られる計数データをラッチする動作を行わせ、水平周期のＸ倍の周期として水平周期の１２８倍の周期を検出することを特徴とする請求項１または２記載の水平周波数測定方法。
【請求項４】
Ｎビットカウンタ部を８ビットカウンタ部とし、該８ビットカウンタ部における最下位ビットから上位ビット側へと数えて７番目のビット位置において得られるビット出力信号の前縁のタイミングをもって、データラッチ部にＭビットカウンタ部により得られる計数データをラッチする動作を行わせ、水平周期のＸ倍の周期として水平周期の１２８倍の周期を検出し、検出された水平周期の１２８倍の周期をあらわす値の１／１２８の逆数をあらわす値を求めることによって映像信号における水平周波数の算出を行うことを特徴とする請求項２記載の水平周波数測定方法。
【請求項５】
映像信号における垂直同期信号の前縁もしくは後縁のタイミングをもってリセットされるもとで、上記映像信号における水平同期信号を形成するパルスを計数するＮビット（Ｎは正整数）カウンタ部と、
所定の周波数を有したクロックパルスを計数するＭビット（Ｍは正整数）カウンタ部と、
上記Ｎビットカウンタ部における所定のビット位置において得られるビット出力信号の前縁もしくは後縁のタイミングをもって上記Ｍビットカウンタ部により得られる計数データをラッチするデータラッチ部と、
該データラッチ部において連続してラッチされた二つの計数データが夫々あらわす計数値間の差に基づいて、上記映像信号における水平周期のＸ倍（Ｘは正整数）の周期を検出し、該水平周期のＸ倍の周期から上記映像信号における水平周波数の算出を行うことによって上記水平周波数を測定する動作制御部と、
を備えて構成される水平周波数測定装置。
【請求項６】
動作制御部が、映像信号における水平周波数の算出を、検出された水平周期のＸ倍の周期をあらわす値の１／Ｘの逆数をあらわす値を求めることにより行うことを特徴とする請求項５記載の水平周波数測定装置。
【請求項７】
Ｎビットカウンタ部が、映像信号における垂直同期信号が供給され、該垂直同期信号の前縁もしくは後縁によってクリアされることを特徴とする請求項５または６記載の水平周波数測定装置。
【請求項８】
動作制御部が、映像信号における垂直同期信号が供給され、該垂直同期信号の前縁もしくは後縁のタイミングをもってＮビットカウンタ部をリセットすることを特徴とする請求項５または６記載の水平周波数測定装置。
【請求項９】
データラッチ部が、Ｎビットカウンタ部における所定のビット位置において得られるビット出力信号が供給され、該ビット出力信号の前縁もしくは後縁に応じてＭビットカウンタ部により得られる計数データをラッチすることを特徴とする請求項５から請求項８までのいずれかに記載の水平周波数測定装置。
【請求項１０】
Ｍビットカウンタ部が、映像信号における垂直同期信号が供給され、該垂直同期信号の前縁もしくは後縁によってリセットされることを特徴とする請求項５から請求項９までのいずれかに記載の水平周波数測定装置。
【請求項１１】
動作制御部が、データラッチ部によりラッチされたＭビットカウンタ部により得られる計数データを格納するメモリ部を備えていることを特徴とする請求項５から請求項１０までのいずれかに記載の水平周波数測定装置。
【請求項１２】
Ｎビットカウンタ部が８ビットカウンタ部とされ、データラッチ部が、上記８ビットカウンタ部における最下位ビットから上位ビット側へと数えて７番目のビット位置において得られるビット出力信号の前縁のタイミングをもって、Ｍビットカウンタ部により得られる計数データをラッチする動作を行うものとされ、動作制御部が、水平周期のＸ倍の周期として水平周期の１２８倍の周期を検出することを特徴とする請求項５から請求項１０までのいずれかに記載の水平周波数測定装置。
【請求項１３】
Ｎビットカウンタ部が８ビットカウンタ部とされ、データラッチ部が、上記８ビットカウンタ部における最下位ビットから上位ビット側へと数えて７番目のビット位置において得られるビット出力信号の前縁のタイミングをもって、Ｍビットカウンタ部により得られる計数データをラッチする動作を行うものとされ、動作制御部が、水平周期のＸ倍の周期として水平周期の１２８倍の周期を検出し、検出された水平周期の１２８倍の周期をあらわす値の１／１２８の逆数をあらわす値を求めることにより映像信号における水平周波数の算出を行うことを特徴とする請求項６記載の水平周波数測定装置。
【発明の詳細な説明】
【０００１】
【発明の属する技術分野】
本願の特許請求の範囲に記載された発明は、映像信号に基づく画像を表示する画像表示機器等に供給される映像信号の水平周波数を、当該映像信号における水平同期信号を利用して測定する水平周波数測定方法及び装置に関する。
【０００２】
【従来の技術】
画像表示面部を備え、映像信号に基づく画像表示を行う画像表示機器にあっては、水平周期，各水平期間における映像信号期間の割合等を異にする各種の映像信号が供給される可能性がある。そのため、画像表示機器を、使用者が、装置に供給される映像信号に応じて適切な画サイズ等が得られるようになす設定を行うことができる機能（ユーザープリセット機能）を具えたものとすることが提案されている。
【０００３】
このような画像表示機器に具えられるユーザープリセット機能をその目的を達成すべく作動させるためには、装置に供給された映像信号が如何なるものであるかを識別できることが前提となり、そのためには、装置に供給された映像信号の水平周波数を測定することが必要とされる。それゆえ、ユーザープリセット機能を具えた画像表示機器にあっては、装置に供給された映像信号の水平周波数を測定する水平周波数測定装置が設けられている。
【０００４】
図６は、従来提案されている水平周波数測定装置を示す。この図６に示される水平周波数測定装置にあっては、映像信号における水平同期信号ＳＨが供給され、その水平同期信号ＳＨを形成するパルス（水平同期パルス）を計数する８ビットカウンタ部１１，所定の周波数を有したクロックパルスＣＬＫが供給され、そのクロックパルスＣＬＫを計数する１６ビットカウンタ部１２，１６ビットカウンタ部１２により得られる計数データＤＣＵを所定のタイミングをもってラッチするデータラッチ部１３、及び、８ビットカウンタ部１１からのオーバーフロー信号ＳＯＦ，データラッチ部１３によりラッチされた計数データＤＣＵであるラッチデータＤＬＡ、さらには、映像信号における垂直同期信号ＳＶが供給される制御ユニット１５が設けられている。
【０００５】
制御ユニット１５は水平周波数測定装置を構成するためだけに配されたものではない。そのため、制御ユニット１５には、水平周波数測定装置に直接的に関わるものでない制御用入出力装置１６，外部メモリ装置１７，周辺装置１８等が接続されており、制御ユニット１５は、これら制御用入出力装置１６，外部メモリ装置１７，周辺装置１８等との間で、データもしくは信号の遣り取りを行う。
【０００６】
このようなもとで、１６ビットカウンタ部１２によるクロックパルスＣＬＫについての計数は、オーバーフロー状態となるとリセットされるようになされて常時行われる。そして、制御ユニット１５は、図７のＡに示される如くの垂直同期信号ＳＶが供給されると、例えば、その垂直同期信号ＳＶの前縁の時点ｔ０から所定の待ち時間ＴＯが経過した時点ｔ１において、クリア制御信号ＣＣＬを８ビットカウンタ部１１へと送出して、８ビットカウンタ部１１をリセットするとともに、ラッチ制御信号ＣＬＡをデータラッチ部１３に供給して、データラッチ部１３にそのとき１６ビットカウンタ部１２から得られる計数データＤＣＵのラッチを行わせる。斯かる際、待ち時間ＴＯは、図７のＢに示される如くの水平同期信号ＳＨにおいて、垂直同期信号ＳＶの前縁の時点ｔ０後の等価パルス，切込みパルス等が含まれる期間に相当する時間に設定される。
【０００７】
それにより、８ビットカウンタ部１１は、時点ｔ１において、図７のＢに示される水平同期信号ＳＨ中における時点ｔ１後の水平同期パルスＰＨの計数を行う状態を新たに開始し、図７のＣに示される如くに、水平同期パルスＰＨについての計数データＤＣＴを形成していく。また、データラッチ部１３は、時点ｔ１において、１６ビットカウンタ部１２から得られる計数データＤＣＵをラッチし、図７のＥに示される如くに、ラッチされた計数データＤＣＵがあらわす計数値Ｎａを継続的にあらわすラッチデータＤＬＡを制御ユニット１５に供給する。データラッチ部１３からのラッチデータＤＬＡが供給された制御ユニット１５は、そのラッチデータＤＬＡを内蔵メモリ部に格納する。
【０００８】
その後、８ビットカウンタ部１１は、計数データＤＣＴが表す計数値が“２５５”を越えることになると、図７のＤに示される如くに、時点ｔ２において前縁を有するオーバーフロー信号ＳＯＦを送出し、そのオーバーフロー信号ＳＯＦを制御ユニット１５に供給する。
【０００９】
８ビットカウンタ部１１からのオーバーフロー信号ＳＯＦが供給された制御ユニット１５は、時点ｔ２後データ処理に要する時間に起因する遅れ時間ΔＴが経過した時点ｔ３において、再度、ラッチ制御信号ＣＬＡをデータラッチ部１３に供給し、データラッチ部１３に、そのとき１６ビットカウンタ部１２から得られる計数データＤＣＵのラッチを行わせる。それにより、データラッチ部１３は、時点ｔ３において、１６ビットカウンタ部１２から得られる計数データＤＣＵをラッチし、図７のＥに示される如くに、ラッチされた計数データＤＣＵがあらわす計数値Ｎｂを継続的にあらわすラッチデータＤＬＡを制御ユニット１５に供給する。データラッチ部１３からのラッチデータＤＬＡが供給された制御ユニット１５は、そのラッチデータＤＬＡを内蔵メモリ部に格納する。
【００１０】
データラッチ部１３からの計数値ＮｂをあらわすラッチデータＤＬＡを内蔵メモリ部に格納した制御ユニット１５は、そのラッチデータＤＬＡがあらわす計数値Ｎｂと時点ｔ１の直後において内蔵メモリ部に格納したラッチデータＤＬＡがあらわす計数値Ｎａとの間の差を算出し、算出された計数値の差に基づいて、映像信号における水平周期の２５６倍の周期を検出する。そして、制御ユニット１５は、さらに、検出された水平周期の２５６倍の周期をあらわす値の１／２５６の逆数をあらわす値を求めることによって映像信号における水平周波数を算出する。このようにして、制御ユニット１５において映像信号における水平周波数が得られ、映像信号における水平周波数の測定が行われることになる。
【００１１】
【発明が解決しようとする課題】
前述された画像表示機器に具えられるユーザープリセット機能を確実に果たされるものとするためには、装置に供給された映像信号の水平周波数が精度良く、例えば、誤差が＋／−０．２ＫＨｚ未満に抑えられる程度の比較的高い精度をもって、測定されることが望まれる。ところが、上述の如くの従来提案された水平周波数測定装置にあっては、装置に供給された映像信号の水平周波数についての高精度をもっての測定は期待できない。
【００１２】
上述の如くの従来提案された水平周波数測定装置の場合、制御ユニット１５において算出される計数値Ｎｂと計数値Ｎａとの間の差が、(1) クロックパルスＣＬＫを計数する１６ビットカウンタ部１２における１計数分の誤差，(2) 垂直同期信号ＳＶの前縁の時点ｔ０から待ち時間ＴＯが経過した時点ｔ１において、データラッチ部１３による１６ビットカウンタ部１２からの計数データＤＣＵのラッチが行われることに起因する、最大８ビットカウンタ部１１による１計数分、即ち、最大１水平期間分の誤差、及び、(3) ８ビットカウンタ部１１から得られるオーバーフロー信号ＳＯＦの前縁の時点ｔ２からデータラッチ部１３による１６ビットカウンタ部１２からの計数データＤＣＵがラッチされる時点ｔ３までの遅れ時間ΔＴ分の誤差を、原理的に含むことになる。
【００１３】
これらの誤差のうち、上記(1) の誤差については、クロックパルスＣＬＫの周波数を高くすることによって実質的に問題とならない程度にまで低減させることができるが、上記 (2)の誤差については、測定された水平周波数が最大で1 −２５６／２５５＝０．４％の誤差を含むことになる事態をまねくことになるが、斯かる事態を回避することは困難である。さらに、上記 (3)の誤差については、遅れ時間ΔＴが制御ユニット１５におけるデータ処理に要される時間に起因するものであるので、この遅れ時間ΔＴを低減するには、制御ユニット１５を格別に高速なデータ処理を行えるものとするとともに、水平周波数の算出処理についての演算割込み優先順位をできるだけ高位にすることが考えられる。しかしながら、制御ユニット１５を格別に高速なデータ処理を行えるものとすることは、コストが著しく嵩むこととなってしまい、また、水平周波数の算出処理についての演算割込み優先順位をできるだけ高位にすることは、制御ユニット１５の動作に極めて大なる制約を課すことになり、その結果、制御ユニット１５が関連するシステムに対してその自由度を低下させる等の悪影響を及ぼすことにもなるので、いずれについてもその実現には困難が伴う。
【００１４】
斯かる点に鑑み、本願の特許請求の範囲に記載された発明は、画像表示機器等に供給される映像信号の水平周波数を、当該映像信号における水平同期信号を利用して測定するにあたり、測定のために要されるデータ処理が格別に迅速に、かつ、格別に高速なものとして行われることを必要とすることなく、水平周波数の測定を高精度をもって確実に行うことができる水平周波数測定方法及び装置を提供する。
【００１５】
【課題を解決するための手段】
本願の特許請求の範囲における請求項１から請求項４までのいずれかに記載された発明に係る水平周波数測定方法は、映像信号における水平同期信号を形成するパルスを計数するＮビット（Ｎは正整数であって、例えば、８）カウンタ部と、所定の周波数を有したクロックパルスを計数するＭビット（Ｍは正整数であって、例えば、１６）カウンタ部と、Ｍビットカウンタ部により得られる計数データをラッチする動作を選択的に行うデータラッチ部とを設け、Ｎビットカウンタ部を映像信号における垂直同期信号の前縁もしくは後縁のタイミングをもってリセットし、Ｎビットカウンタ部における所定のビット位置において得られるビット出力信号の前縁もしくは後縁のタイミングをもって、データラッチ部にＭビットカウンタ部により得られる計数データをラッチする動作を行わせ、データラッチ部において連続してラッチされた二つの計数データが夫々あらわす計数値間の差に基づいて、映像信号における水平周期のＸ倍（Ｘは正整数であって、例えば、１２８）の周期を検出し、その水平周期のＸ倍の周期から映像信号における水平周波数の算出を行うことによって水平周波数を測定するものとされる。
【００１６】
また、本願の特許請求の範囲における請求項５から請求項１３までのいずれかに記載された発明に係る水平周波数測定装置は、映像信号における垂直同期信号の前縁もしくは後縁のタイミングをもってリセットされるもとで、映像信号における水平同期信号を形成するパルスを計数するＮビットカウンタ部と、所定の周波数を有したクロックパルスを計数するＭビットカウンタ部と、Ｎビットカウンタ部における所定のビット位置において得られるビット出力信号の前縁もしくは後縁のタイミングをもってＭビットカウンタ部により得られる計数データをラッチするデータラッチ部と、データラッチ部において連続してラッチされた二つの計数データが夫々あらわす計数値間の差に基づいて、映像信号における水平周期のＸ倍（Ｘは正整数）の周期を検出し、その水平周期のＸ倍の周期から映像信号における水平周波数の算出を行うことによって水平周波数を測定する動作制御部とを備えて構成される。
【００１７】
上述の如くの本願の特許請求の範囲における請求項１から請求項４までのいずれかに記載された発明に係る水平周波数測定方法、及び、本願の特許請求の範囲における請求項５から請求項１３までのいずれかに記載された発明に係る水平周波数測定装置にあっては、映像信号における水平同期信号を形成するパルスを計数する、例えば、８ビットカウンタ部とされるＮビットカウンタ部が、映像信号における垂直同期信号の前縁もしくは後縁のタイミングをもってリセットされ、また、データラッチ部において、所定の周波数を有したクロックパルスを計数する、例えば、１６ビットカウンタ部とされるＭビットカウンタ部から得られる計数データのラッチが、Ｎビットカウンタ部における所定のビット位置において得られるビット出力信号の前縁もしくは後縁のタイミングをもって行われる。そして、データラッチ部において連続してラッチされた二つの計数データが夫々あらわす計数値間の差に基づいて、映像信号における、例えば、水平周期の１２８倍の周期とされる水平周期のＸ倍の周期を検出し、その水平周期のＸ倍の周期から映像信号における水平周波数の算出が行われることにより、水平周波数が測定される。
【００１８】
このように、Ｎビットカウンタ部が、映像信号における垂直同期信号の前縁もしくは後縁のタイミングをもってリセットされ、また、データラッチ部におけるＭビットカウンタ部から得られる計数データのラッチが、Ｎビットカウンタ部における所定のビット位置において得られるビット出力信号の前縁もしくは後縁のタイミングをもって行われることにより、データラッチ部において連続してラッチされた二つの計数データが夫々あらわす計数値間の差が、原理的には、Ｍビットカウンタ部における１計数分の誤差のみを含むものとされることになり、斯かる誤差は、Ｍビットカウンタ部により計数されるクロックパルスの周波数を比較的高くすることによって実質的に問題とならない程度にまで低減させることができる。それゆえ、データラッチ部において連続してラッチされた二つの計数データが夫々あらわす計数値間の差に基づいて算出される映像信号における水平周波数は、Ｍビットカウンタ部により計数されるクロックパルスの周波数が比較的高くされるもとにおいて、誤差が効果的に排除された極めて正確なものとされることになる。
【００１９】
従って、映像信号の水平周波数が、当該映像信号における水平同期信号が利用されて測定されるにあたり、測定のために要されるのデータ処理が格別に迅速に、かつ、格別に高速なものとして行われることが必要とされることなく、水平周波数の測定が高精度をもって確実に行われることになる。
【００２０】
【発明の実施の形態】
図１は、本願の特許請求の範囲における請求項１から請求項４のいずれかに記載された発明に係る水平周波数測定方法の一例が実施される、本願の特許請求の範囲における請求項５から請求項７まで，請求項９、及び、請求項１１から請求項１３までのいずれかに記載された発明に係る水平周波数測定装置の一例を示す。
【００２１】
図１に示される水平周波数測定装置の例においては、映像信号における垂直同期信号ＳＶと水平同期信号ＳＨとが供給され、垂直同期信号ＳＶによってリセットされるもとで、水平同期信号ＳＨを形成するパルス、即ち、水平同期パルスを計数する８ビットカウンタ部２１，比較的高い所定の周波数を有したクロックパルスＣＬＫが供給され、そのクロックパルスＣＬＫを計数する１６ビットカウンタ部２２，８ビットカウンタ部２１における最下位ビットから上位ビット側へと数えて７番目のビット位置（第７位ビット位置という）において得られるビット出力信号ＳＢ７に応じた所定のタイミングをもって、１６ビットカウンタ部２２により得られる計数データＤＣＵをラッチするデータラッチ部２３、及び、８ビットカウンタ部２１において得られるビット出力信号ＳＢ７及びデータラッチ部２３によりラッチされた計数データＤＣＵであるラッチデータＤＬＡが供給される制御ユニット２５が設けられている。
【００２２】
制御ユニット２５は、水平周波数測定装置を構成するためだけに配されたものではなく、水平周波数測定装置を構成するとともに、他の役割も果たしている。それゆえ、制御ユニット２５には、水平周波数測定装置に直接的に関わるものでない制御用入出力装置２６，外部メモリ装置２７，周辺装置２８等が接続されており、制御ユニット２５は、これら制御用入出力装置２６，外部メモリ装置２７，周辺装置２８等との間で、データもしくは信号の遣り取りを行う。斯かる制御ユニット２５は、水平周波数測定装置においては動作制御部を形成する。
【００２３】
このようなもとで、１６ビットカウンタ部２２によるクロックパルスＣＬＫについての計数は、オーバーフロー状態となるとリセットされるようになされて常時行われる。そして、８ビットカウンタ部２１は、図２のＡに示される如くの垂直同期信号ＳＶが供給されると、当該垂直同期信号ＳＶにより、その前縁もしくは後縁の時点、例えば、前縁の時点ｔ５のタイミングをもってリセットされる。そして、８ビットカウンタ部２１は、時点ｔ５においてリセットされる都度、図２のＢに示される如くの水平同期信号ＳＶを形成する水平同期パルスＰＨの計数を行う状態を新たに開始し、図２のＣに示される如くに、水平同期パルスＰＨについての計数データＤＣＴを形成していく。
【００２４】
そして、図２のＣ及びＤに示される如く、８ビットカウンタ部２１における計数データＤＣＴが計数値“６４”をあらわすものとなる時点ｔ６において、８ビットカウンタ部２１における第７位ビット位置において得られるビット出力信号ＳＢ７が、低レベルから高レベルへの立上りにより形成される前縁を生じる。そして、斯かるビット出力信号ＳＢ７の低レベルから高レベルへの立上りにより形成される前縁は、データラッチ部２３及び動作制御部を形成する制御ユニット２５に伝えられる。
【００２５】
データラッチ部２３に伝えられたビット出力信号ＳＢ７の前縁は、データラッチ部２３に、時点ｔ６において、１６ビットカウンタ部２２から得られる計数データＤＣＵをラッチする状態をとらせる。それにより、データラッチ部２３は、時点ｔ６のタイミングをもって計数データＤＣＵをラッチし、図２のＥに示される如くに、ラッチされた計数データＤＣＵがあらわす計数値Ｎ１をその後継続的にあらわすラッチデータＤＬＡを制御ユニット２５に供給する。また、制御ユニット２５に伝えられたビット出力信号ＳＢ７の前縁は、制御ユニット２５に、データラッチ部２３からのラッチデータＤＬＡを内蔵メモリ部に格納する状態をとらせる。
【００２６】
図２のＣ及びＤに示される如く、時点ｔ６において低レベルから高レベルへの立上りにより形成される前縁を生じたビット出力信号ＳＢ７は、８ビットカウンタ部２１における計数データＤＣＴが計数値“１２８”をあらわすものとなる時点ｔ７まで高レベルを維持し、時点ｔ７において高レベルから低レベルへの立下りにより形成される後縁を生じる。
【００２７】
その後、図２のＣ及びＤに示される如く、時点ｔ６以降８ビットカウンタ部２１により１２８個の水平同期パルスＰＨが計数されて、８ビットカウンタ部２１における計数データＤＣＴが計数値“１９２”をあらわすものとなる時点ｔ８において、８ビットカウンタ部２１において得られるビット出力信号ＳＢ７が、再び、低レベルから高レベルへの立上りにより形成される前縁を生じる。このようにして、時点ｔ６においてビット出力信号ＳＢ７が低レベルから高レベルへの立上りにより形成される前縁を生じた後、時点ｔ８においてビット出力信号ＳＢ７が再度低レベルから高レベルへの立上りにより形成される前縁を生じるまでの間に、映像信号における１２８水平周期に相当する時間が経過していることになる。そして、時点ｔ８におけるビット出力信号ＳＢ７の前縁も、データラッチ部２３及び動作制御部を形成する制御ユニット２５に伝えられる。
【００２８】
このときデータラッチ部２３に伝えられたビット出力信号ＳＢ７の前縁は、データラッチ部２３に、時点ｔ８において、１６ビットカウンタ部２２から得られる計数データＤＣＵをラッチする状態をとらせる。それにより、データラッチ部２３は、時点ｔ８のタイミングをもって再度計数データＤＣＵをラッチし、図２のＥに示される如くに、ラッチされた計数データＤＣＵがあらわす計数値Ｎ２をその後継続的にあらわすラッチデータＤＬＡを制御ユニット２５に供給する。また、このとき制御ユニット２５に伝えられたビット出力信号ＳＢ７の前縁も、制御ユニット２５に、データラッチ部２３からのラッチデータＤＬＡを内蔵メモリ部に格納する状態をとらせる。
【００２９】
データラッチ部２３からの計数値Ｎ１をあらわすラッチデータＤＬＡを内蔵メモリ部に格納した後、さらに、データラッチ部２３からの計数値Ｎ２をあらわすラッチデータＤＬＡを内蔵メモリ部に格納した制御ユニット２５は、それらの計数値Ｎ１をあらわすラッチデータＤＬＡと計数値Ｎ２をあらわすラッチデータＤＬＡとに基づき、データラッチ部２３において連続してラッチされた二つの計数データＤＣＵが夫々あらわす計数値Ｎ２と計数値Ｎ１との間の差を算出し、算出された計数値の差に基づいて、映像信号における水平周期の１２８倍の周期を検出する。そして、制御ユニット２５は、さらに、検出された水平周期の１２８倍の周期をあらわす値の１／１２８の逆数をあらわす値を求めることによって映像信号における水平周波数を算出する。このようにして、制御ユニット２５において映像信号における水平周波数が得られ、映像信号における水平周波数の測定が行われることになる。
【００３０】
上述の如くにして図１に示される例により行われる映像信号における水平周波数の測定にあっては、８ビットカウンタ部２１が、垂直同期信号ＳＶの前縁のタイミングをもってリセットされ、また、データラッチ部２３において、１６ビットカウンタ部２２から得られる計数データＤＣＵのラッチが、８ビットカウンタ部２１における第７ビット位置において得られるビット出力信号ＳＢ７の前縁のタイミングをもって行われる。そして、制御ユニット２５において、データラッチ部２３において連続してラッチされた二つの計数データＤＣＵが夫々あらわす計数値Ｎ２と計数値Ｎ１との間の差に基づいて、映像信号における水平周期の１２８倍の周期を検出し、その水平周期の１２８倍の周期から映像信号における水平周波数の算出が行われることにより、水平周波数が測定される。
【００３１】
このように、８ビットカウンタ部２１が、垂直同期信号ＳＶの前縁のタイミングをもってリセットされ、また、データラッチ部２３における１６ビットカウンタ部２２から得られる計数データＤＣＵのラッチが、８ビットカウンタ部２１における第７ビット位置において得られるビット出力信号ＳＢ７の前縁のタイミングをもって行われることにより、データラッチ部２３において連続してラッチされた二つの計数データＤＣＵが夫々あらわす計数値Ｎ２と計数値Ｎ１との間の差が、原理的には、１６ビットカウンタ部２２における１計数分の誤差のみを含むものとされることになり、斯かる誤差は、１６ビットカウンタ部２２により計数されるクロックパルスＣＬＫの周波数を比較的高くすることによって実質的に問題とならない程度にまで低減させることができる。
【００３２】
それゆえ、制御ユニット２５において、データラッチ部２３において連続してラッチされた二つの計数データＤＣＵが夫々あらわす計数値Ｎ２と計数値Ｎ１との間の差に基づいて算出される映像信号における水平周波数は、１６ビットカウンタ部２２により計数されるクロックパルスＣＬＫの周波数が比較的高くされるもとにおいて、誤差が効果的に排除された極めて正確なものとされることになる。従って、映像信号の水平周波数が、当該映像信号における水平同期信号ＳＨが利用されて測定されるにあたり、測定のために要されるのデータ処理が格別に迅速に、かつ、格別に高速なものとして行われることが必要とされることなく、水平周波数の測定が高精度をもって確実に行われることになる。
【００３３】
また、図１に示される例によれば、映像信号の水平周波数の測定に要される当該映像信号の水平周期の数は、時点ｔ８において８ビットカウンタ部２１における計数データＤＣＴが計数値“１９２”をあらわすものとなることからして、１９２であり、従って、各垂直期間（各フィールド期間）における水平期間（ライン期間）の数が１９３以上、例えば、２００とされる映像信号について、その水平周波数を測定できることになる。
【００３４】
図３は、本願の特許請求の範囲における請求項１から請求項４のいずれかに記載された発明に係る水平周波数測定方法の他の例が実施される、本願の特許請求の範囲における請求項５，請求項６，請求項８、請求項９、及び、請求項１１から請求項１３までのいずれかに記載された発明に係る水平周波数測定装置の一例を示す。
【００３５】
この図３に示される水平周波数測定装置の例は、図１に示される水平周波数測定装置の例と略同様に構成されており、図３においては、図１に示される各部及び各データもしくは信号に対応する部分及びデータもしくは信号が、図１と共通の符号が付されて示されており、それらについての重複説明は省略される。
【００３６】
図３に示される例にあっては、図１に示される例においては８ビットカウンタ部２１に供給されている、映像信号における垂直同期信号ＳＶが、８ビットカウンタ部２１にではなく、動作制御部を形成する制御ユニット２５に供給される。制御ユニット２５は、垂直同期信号ＳＶが供給されると、例えば、その垂直同期信号ＳＶの前縁もしくは後縁、例えば、前縁に応じてクリア制御信号ＣＣＬを形成し、そのクリア制御信号ＣＣＬを８ビットカウンタ部２１へと送出して、８ビットカウンタ部１１をリセットする。
【００３７】
８ビットカウンタ部２１には映像信号における水平同期信号ＳＨが供給されており、８ビットカウンタ部２１は、制御ユニット２５からのクリア制御信号ＣＣＬによってリセットされる都度、水平同期信号ＳＨを形成する水平同期パルスの計数を行う状態を新たに開始し、水平同期パルスについての計数データを形成していく。
【００３８】
図３に示される例は、上述の点以外については、図１に示される例と同様に構成されていて、図１に示される例と同様に動作する。
【００３９】
図４は、本願の特許請求の範囲における請求項１から請求項４のいずれかに記載された発明に係る水平周波数測定方法のさらに他の例が実施される、本願の特許請求の範囲における請求項５，請求項６及び請求項９から請求項１３までのいずれかに記載された発明に係る水平周波数測定装置の一例を示す。
【００４０】
この図４に示される水平周波数測定装置の例も、図１に示される水平周波数測定装置の例と略同様に構成されており、図４においても、図１に示される各部及び各データもしくは信号に対応する部分及びデータもしくは信号が、図１と共通の符号が付されて示されており、それらについての重複説明は省略される。
【００４１】
図４に示される例にあっては、映像信号における垂直同期信号ＳＶが、映像信号における水平同期信号ＳＨが供給される８ビットカウンタ部２１、及び、所定の周波数を有したクロックパルスＣＬＫが供給される１６ビットカウンタ部２２の両者に供給される。
【００４２】
８ビットカウンタ部２１は、垂直同期信号ＳＶが供給されると、当該垂直同期信号ＳＶにより、その前縁もしくは後縁の時点、例えば、前縁の時点のタイミングをもってリセットされる。そして、８ビットカウンタ部２１は、垂直同期信号ＳＶによりリセットされる都度、水平同期信号ＳＨを形成する水平同期パルスの計数を行う状態を新たに開始し、水平同期パルスについての計数データを形成していく。
【００４３】
また、１６ビットカウンタ部２２も、垂直同期信号ＳＶが供給されると、当該垂直同期信号ＳＶにより、その前縁もしくは後縁の時点、例えば、前縁の時点のタイミングをもってリセットされる。そして、１６ビットカウンタ部２２は、垂直同期信号ＳＶによりリセットされる都度、クロックパルスＣＬＫの計数を行う状態を新たに開始し、クロックパルスＣＬＫについての計数データＤＣＵを形成していく。
【００４４】
図４に示される例は、上述の点以外については、図１に示される例と同様に構成されていて、図１に示される例と同様に動作する。
【００４５】
図５は、図１に示される本願の特許請求の範囲における請求項５から請求項７まで，請求項９、及び、請求項１１から請求項１３までのいずれかに記載された発明に係る水平周波数測定装置の一例が適用された画像表示機器の一例を示す。
【００４６】
図５に示される画像表示機器にあっては、本願の特許請求の範囲における請求項５から請求項７まで，請求項９、及び、請求項１１から請求項１３までのいずれかに記載された発明に係る水平周波数測定装置の一例を構成する、映像信号の水平同期信号ＳＨと垂直同期信号ＳＶとが供給される８ビットカウンタ部２１，クロックパルスＣＬＫが供給される１６ビットカウンタ部２２，データラッチ部２３及び制御ユニット２５が備えられている。そして、制御ユニット２５には、８ビットカウンタ部２１から得られるビット出力信号ＳＢ７、及び、８ビットカウンタ部２１から得られるビット出力信号ＳＢ７が供給されるデータラッチ部２３から、１６ビットカウンタ部２２からの計数データＤＣＵがラッチされて得られるラッチデータＤＬＡが供給される。
【００４７】
また、制御ユニット２５には、制御用入出力装置２６，外部メモリ装置２７及び周辺装置２８が接続されている。
【００４８】
制御用入出力装置２６は、機器の前面パネルに設けられて、使用者によって操作される前面パネル制御スイッチ部、機器の製造工場における調整にあたって使用される工場調整用通信部等を含むものとされている。また、外部メモリ装置２７は、例えば、電気的消去が可能とされたプログラマブル・リード・オンリー・メモリ（ＥＥＰＲＯＭ）によって構成される。
【００４９】
さらに、周辺装置２８は、水平同期信号ＳＨと垂直同期信号ＳＶとが供給される同期回路，同期回路に接続された偏向補正波形発生部，画像表示に供される映像信号ＳＶＤが供給される映像信号増幅部，機器の使用者による操作に応じて状態表示用の表示信号を発生して映像信号増幅部に供給する表示信号形成部等を含むものとされている。映像信号ＳＶＤは、それについての水平同期信号及び垂直同期信号が、夫々、水平同期信号ＳＨ及び垂直同期信号ＳＶであるものとされる。
【００５０】
そして、周辺装置２８に含まれる映像信号増幅部から得られる増幅された映像信号ＳＶＤ，表示信号形成部からの表示信号、もしくは、映像信号ＳＶＤ及び表示信号の両者が、画像表示部３０に供給される。画像表示部３０は、画像表示用陰極線管を含んで構成される。さらに、周辺装置２８に含まれる偏向補正波形発生部から得られる補正された偏向信号が偏向回路３１に供給され、偏向回路３１は画像表示部３０における陰極線管内の電子ビームについての偏向制御を行う。
【００５１】
それにより、画像表示用陰極線管を含んで構成された画像表示部３０において、映像信号ＳＶＤ，表示信号形成部からの表示信号、もしくは、映像信号ＳＶＤ及び表示信号の両者に基づく画像が表示される。そして、８ビットカウンタ部２１，１６ビットカウンタ部２２，データラッチ部２３及び制御ユニット２５を含んで形成される、本願の特許請求の範囲における請求項５から請求項７まで，請求項９、及び、請求項１１から請求項１３までのいずれかに記載された発明に係る水平周波数測定装置の一例は、映像信号ＳＶＤにおける水平周波数の測定を行うことになる。
【００５２】
このようなもとで、制御ユニット２５において得られる映像信号ＳＶＤにおける水平周波数の測定の結果は、例えば、制御用入出力装置２６に含まれる前面パネル制御スイッチ部が機器の使用者により操作されて、映像信号ＳＶＤに応じて適切な画サイズ等が得られるようになす設定が行われる際に使用される。
【００５３】
なお、図３に示される本願の特許請求の範囲における請求項５，請求項６，請求項８，請求項９、及び、請求項１１から請求項１３までのいずれかに記載された発明に係る水平周波数測定装置の一例が適用された画像表示機器の例、及び、図４に示される本願の特許請求の範囲における請求項５，請求項６及び請求項９から請求項１３までのいずれかに記載された発明に係る水平周波数測定装置の一例が適用された画像表示機器の例も、図１に示される本願の特許請求の範囲における請求項５から請求項７まで，請求項９、及び、請求項１１から請求項１３までのいずれかに記載された発明に係る水平周波数測定装置の例と同様に構成される。
【００５４】
上述の各例にあっては、水平同期信号ＳＨを形成する水平同期パルスＰＨの計数を８ビットカウンタ部２１によって行い、また、クロックパルスＣＬＫの計数を１６ビットカウンタ部２２によって行っているが、水平同期信号ＳＨを形成する水平同期パルスＰＨの計数は、８ビットカウンタ部２１に限られることなく、Ｎを正整数として一般的にＮビットカウンタ部としてあらわせる計数手段により行うことができ、また、クロックパルスＣＬＫの計数も、１６ビットカウンタ部２２に限られることなく、Ｍを正整数として一般的にＭビットカウンタ部としてあらわせる計数手段により行うことができる。
【００５５】
また、上述の各例にあっては、データラッチ部２３における計数データのラッチ、及び、制御ユニット２５におけるラッチデータの内蔵メモリ部への格納が、８ビットカウンタ部２１における第７位ビット位置において得られるビット出力信号に応じて行われるが、データラッチ部２３における計数データのラッチ、及び、制御ユニット２５におけるラッチデータの内蔵メモリ部への格納を、８ビットカウンタ部２１における第７位ビット位置以外のビット位置において得られるビット出力信号に応じて行うこと、さらには、Ｎビットカウンタ部における所定のビット位置において得られるビット出力信号に応じて行われるようにすることもできる。
【００５６】
【発明の効果】
以上の説明から明らかな如く、本願の特許請求の範囲における請求項１から請求項４までのいずれかに記載された発明に係る水平周波数測定方法、及び、本願の特許請求の範囲における請求項５から請求項１３までのいずれかに記載された発明に係る水平周波数測定装置によれば、映像信号における水平同期信号を形成するパルスを計数するＮビットカウンタ部が、映像信号における垂直同期信号の前縁もしくは後縁のタイミングをもってリセットされるとともに、データラッチ部において、所定の周波数を有したクロックパルスを計数するＭビットカウンタ部から得られる計数データのラッチが、Ｎビットカウンタ部における所定のビット位置において得られるビット出力信号の前縁もしくは後縁のタイミングをもって行われ、データラッチ部において連続してラッチされた二つの計数データが夫々あらわす計数値間の差に基づいて、映像信号における水平周期のＸ倍の周期を検出し、その水平周期のＸ倍の周期から映像信号における水平周波数の算出が行われることにより、水平周波数が測定される。
【００５７】
このように、Ｎビットカウンタ部が、映像信号における垂直同期信号の前縁もしくは後縁のタイミングをもってリセットされ、また、データラッチ部におけるＭビットカウンタ部から得られる計数データのラッチが、Ｎビットカウンタ部における所定のビット位置において得られるビット出力信号の前縁もしくは後縁のタイミングをもって行われることにより、データラッチ部において連続してラッチされた二つの計数データが夫々あらわす計数値間の差が、原理的には、Ｍビットカウンタ部における１計数分の誤差のみを含むものとされることになり、斯かる誤差は、Ｍビットカウンタ部により計数されるクロックパルスの周波数を比較的高くすることによって実質的に問題とならない程度にまで低減させることができるので、データラッチ部において連続してラッチされた二つの計数データが夫々あらわす計数値間の差に基づいて算出される映像信号における水平周波数は、Ｍビットカウンタ部により計数されるクロックパルスの周波数が比較的高くされるもとにおいて、誤差が効果的に排除された極めて正確なものとされることになる。
【００５８】
従って、映像信号の水平周波数を、当該映像信号における水平同期信号を利用して測定するにあたり、測定のために要されるのデータ処理が格別に迅速に、かつ、格別に高速なものとして行われることを必要とすることなく、水平周波数の測定を高精度をもって確実に行う事ができる。
【図面の簡単な説明】
【図１】  本願の特許請求の範囲における請求項１から請求項４のいずれかに記載された発明に係る水平周波数測定方法の一例が実施される、本願の特許請求の範囲における請求項５から請求項７まで，請求項９、及び、請求項１１から請求項１３までのいずれかに記載された発明に係る水平周波数測定装置の一例を示すブロック構成図である。
【図２】  図１に示される例の動作説明に供されるタイムチャートである。
【図３】  本願の特許請求の範囲における請求項１から請求項４のいずれかに記載された発明に係る水平周波数測定方法の他の例が実施される、本願の特許請求の範囲における請求項５，請求項６，請求項８，請求項９、及び、請求項１１から請求項１３までのいずれかに記載された発明に係る水平周波数測定装置の一例を示すブロック構成図である。
【図４】  本願の特許請求の範囲における請求項１から請求項４のいずれかに記載された発明に係る水平周波数測定方法のさらに他の例が実施される、本願の特許請求の範囲における請求項５，請求項６及び請求項９から請求項１３までのいずれかに記載された発明に係る水平周波数測定装置の一例を示すブロック構成図である。
【図５】  図１に示される本願の特許請求の範囲における請求項５から請求項７まで，請求項９、及び、請求項１１から請求項１３までのいずれかに記載された発明に係る水平周波数測定装置の一例が適用された画像表示機器の一例を示すブロック構成図である。
【図６】  従来提案されている水平周波数測定装置を示すブロック構成図である。
【図７】  図６に示される水平周波数測定装置の動作説明に供されるタイムチャートである。
【符号の説明】
２１・・・８ビットカウンタ部，  ２２・・・１６ビットカウンタ部，  ２３・・・データラッチ部，  ２５・・・制御ユニット，  ２６・・・制御用入出力装置，  ２７・・・外部メモリ装置，  ２８・・・周辺装置
【図１】
0004000699.tif 000002
【図２】
0004000699.tif 000003
【図３】
0004000699.tif 000004
【図４】
0004000699.tif 000005
【図５】
0004000699.tif 000006
【図６】
0004000699.tif 000007
【図７】
0004000699.tif 000008